(57)【要約】      （修正有）【課題】屋根裏を室内空間として利用でき、この室内空間の断熱性が優れ、しかも施工が容易な屋根構造を提供する。【解決手段】木造軸組工法の小屋組２を備える建物１９において、軒桁３と棟木７の間に架設される少なくとも２本の登り梁６と、必要に応じて登り梁６の間に架設される少なくとも１本の母屋８と、登り梁６及び、軒桁３又は棟木７又は必要に応じて設けられる母屋８のいずれかに固定具により固定される屋根パネル１１、１１’と、を備え、この屋根パネル１１、１１’は、登り梁６の天面に面して設けられ、内装用面１３ａが室内空間１８に配される内装用板材１３と、この内装用板材１３上に所望間隔毎にかつ互いに平行に設けられる垂木１４と、この垂木１４同士の空隙でかつ内装用板材１３上に設けられ、垂木１４よりも厚みが薄い断熱材１５と、垂木１４を挟んで内装用板材１３と対向して設けられる野地合板１６と、を備える。【選択図】図６
0003233066.tif 000002
【実用新案登録請求の範囲】
【請求項１】
木造軸組工法の小屋組を備える建物において、
軒桁と棟木の間に架設される少なくとも２本の登り梁と、
必要に応じて前記登り梁の間に架設される少なくとも１本の母屋と、
前記登り梁及び、前記軒桁又は前記棟木又は必要に応じて設けられる前記母屋のいずれかに固定具により固定される屋根パネルと、を備え、
前記屋根パネルは、
前記登り梁の天面に面して設けられ、内装用面が室内空間に配される内装用板材と、
前記内装用板材上に所望間隔毎にかつ互いに平行に設けられる垂木と、
前記垂木同士の空隙でかつ前記内装用板材上に設けられ、前記垂木よりも厚みが薄い断熱材と、
前記垂木を挟んで前記内装用板材と対向して設けられる野地合板又は野地板と、を備えていることを特徴とする屋根構造。
【請求項２】
前記室内空間に裸出している横架材の裸出面は、化粧表し加工面を有していることを特徴とする請求項１に記載の屋根構造。
【請求項３】
前記屋根パネルは、前記登り梁の前記天面に面する側でかつ前記室内空間を構成しない領域に、前記内装用板材に代えて内装用でない合板又は板体を備えていることを特徴とする請求項１又は請求項２に記載の屋根構造。
【請求項４】
前記屋根パネルは、前記内装用板材を備える領域に、前記屋根パネルの厚み方向に光を透過させるための採光構造を備えていることを特徴とする請求項１乃至請求項３のいずれか１項に記載の屋根構造。
【請求項５】
請求項１乃至請求項４のいずれか１項に記載の屋根構造と、
前記登り梁の直下に配されている梁上に設けられる床と、を備えていることを特徴とする屋根裏部屋。
【考案の詳細な説明】
【技術分野】
【０００１】
本考案は、木造軸組工法による建物、又は木造軸組工法と他の工法を組み合わせてなる混構造の建物、における屋根構造及びそれを用いてなる屋根裏部屋に関する。
【背景技術】
【０００２】
従来、木造軸組工法の小屋組の形式として主に和小屋と洋小屋が知られている。
そして、和小屋の場合は、小屋桁の下に天井板を配して小屋組を見せない室内空間とするのが一般的である。
他方、洋小屋の場合は、小屋桁の下に天井板を配することなく小屋組を裸出させた室内空間とするのが一般的である。
ただし、いずれの場合も小屋組の内側の空間はデッドスペースになるため、室内空間として有効に活用することができなかった。
そして、このよう課題に対処するための先願がいくつか開示されている。
【０００３】
特許文献１には「通気屋根パネル及びその取付け構造」という名称で、木造住宅の屋根面を構成する屋根パネルに関し、特に通気層を有する屋根構造を構成するための通気屋根パネル及びその取付け構造に関する発明が開示されている。
特許文献１に開示される発明は、同文献中の図３に記載される符号をそのまま用いて説明すると、矩形の枠材２内に断熱材３を充填し、該枠材２を上板４と下板５で覆い、上板４の上面に垂木６及び野地板７を接合して通気層８を形成し、上板４の両側縁が枠材２から突出し、登り梁１３間に枠材２を嵌め込んだ状態で上板４の突出部４ａを登り梁１３に固定することを特徴とするものである。
特許文献１に開示される発明によれば、コンパクトな形状で通気層と断熱材とを一体ユニット化することができ、現場での屋根パネルの取付け作業の作業性及び気密性を向上させることができる。
【０００４】
特許文献２には「野地パネル」という名称で、木造建築物の屋根構造に使用される野地パネルに関する考案が開示されている。
特許文献２に開示される考案は、同文献中の図４に記載される符号をそのまま用いて説明すると、木造建築物の屋根構造に使用される野地パネルであって、野地板１と、板状部材２と、遮熱シート３と、垂木４と、断熱材５と、内装用化粧板６とから成り、該野地板１の一面に左右平行に配設した複数の該垂木４と、該垂木４間に取付け固定した該断熱材５とを有するとともに、該野地板１と該垂木４との間に該板状部材２を介設し、該板状部材２と該垂木４との間に介在して該遮熱シート３を渡設し、該遮熱シート３の表裏両側に、該垂木４に沿って連通する通気空間を設け、該断熱材５を被覆するように該内装用化粧板６を取付け固定して、これらを一体に形成したものである。
上記構成の特許文献２に開示される考案によれば、木造建築物の屋根構造である洋風小屋組（洋小屋）に適した野地パネルを提供することができる。また、特許文献２に開示される考案によれば、建築作業を省力化できるとともに、断熱・防湿効果、意匠性にも優れた野地パネルを提供することができる。
【先行技術文献】
【特許文献】
【０００５】
【特許文献１】特開２００１−３５０７号公報
【特許文献２】実用新案登録第３１９９３５０号公報
【考案の概要】
【考案が解決しようとする課題】
【０００６】
特許文献１に開示される発明の場合、木造軸組工法における小屋組が登り梁を有するため、桁上に母屋を支持するための束（小屋束）を配設する必要がない。このため、特許文献１に開示される発明の場合は、登り梁下の空間を室内空間や吹き抜け天井として有効に活用できる可能性がある。
しかしながら、特許文献１に開示される発明の場合、屋根パネルの下面側に突設される断熱材層が、登り梁同士の間に嵌設される構造を有している。このため、特許文献１に開示される発明の場合は、登り梁の下面や側面を室内空間に裸出させて意匠として利用することが難しい。
より具体的には、特許文献１に開示される発明を参酌する場合は、登り梁の上面側から屋根パネルを嵌設した後、登り梁の下面側に天井板を貼設する必要があると考えられる。
このため、特許文献１に開示される発明の場合は、屋根に断熱構造や通気構造を形成しながら野地板を敷設する作業を軽減できると考えられるものの、登り梁の下面側を内装する手間を軽減することができない。
【０００７】
特許文献２に開示される考案によれば、小屋桁上に配設される合掌同士の間に形成される空間を吹き抜け天井や屋根裏部屋として利用できる可能性がある。
しかしながら、洋小屋の場合はその構造上、合掌を構成する木材の上面（傾斜面）に母屋が載置されるのが一般的である。このため、小屋組の一部を吹き抜け天井や屋根裏部屋のような室内空間として利用する際に、合掌の上面と母屋の上面の間の隙間を埋める必要がある。この場合、室内空間として使用する空間と、使用しない空間の間に壁を形成する際に、合掌の上面と母屋の上面の間の隙間を埋める手間がかかるという課題があった。
また、小屋組の形式が洋小屋の場合は、合掌を構成する木材の上面（傾斜面）に母屋を配設することなく野地パネルを直貼りすることも考えられる。この場合は、屋根構造に十分な強度を付与するために、合掌をより狭い間隔で桁上に配置する必要がある。この場合、小屋組の施工に要するコストが割高になる可能性があった。
【０００８】
本考案はかかる従来の事情に対処してなされたものでありその目的は、木造軸組工法の小屋組を備える建物において、施工が容易で、かつ屋根裏を室内空間として利用する場合に優れた断熱性を備え、しかも屋根パネルの設置後に屋根裏を内装することなくそのまま室内空間として利用できる屋根構造及びそれを用いてなる屋根裏部屋を提供することにある。
さらに、本考案は屋根裏の一部のみを室内空間として利用する場合でも断熱性及び施工性が良好な屋根構造及びそれを用いてなる屋根裏部屋を提供することにある。
【課題を解決するための手段】
【０００９】
上記課題を解決するため第１の考案である屋根構造は、木造軸組工法の小屋組を備える建物において、軒桁と棟木の間に架設される少なくとも２本の登り梁と、必要に応じて登り梁の間に架設される少なくとも１本の母屋と、登り梁及び、軒桁又は棟木又は必要に応じて設けられる母屋のいずれかに固定具により固定される屋根パネルと、を備え、屋根パネルは、登り梁の天面に面して設けられ、内装用面が室内空間に配される内装用板材と、内装用板材上に所望間隔毎にかつ互いに平行に設けられる垂木と、垂木同士の空隙でかつ内装用板材上に設けられ、垂木よりも厚みが薄い断熱材と、垂木を挟んで内装用板材と対向して設けられる野地合板又は野地板と、を備えていることを特徴とするものである。
【００１０】
上記構成の第１の考案において、登り梁及び、軒桁又は棟木又は必要に応じて設けられる母屋のいずれかは、屋根パネルを支持するという作用を有する。また、少なくとも登り梁は、屋根パネルとともに、これらの下面側に内装が不要な室内空間を形成するという作用を有する。また、場合によっては軒桁又は棟木又は必要に応じて設けられる母屋も、登り梁及び屋根パネルとともに、これらの下面側に内装が不要な室内空間を形成するという作用を有する。
また、屋根パネルにおける内装用板は、屋根パネルの室内空間側に配される面を装飾するという作用を有する。さらに、屋根パネルにおける垂木は、内装用板材及び野地合板又は野地板を補強するという作用を有する。加えて、垂木は、屋根パネルの内部において断熱材とともに、軒桁から棟木に向かう空気の流路を形成するという作用を有する。また、屋根パネルの内部において、並設される垂木の間に介設される断熱材は、建物の外から内側への熱の出入りを、又はこの逆方向への熱の出入りを妨げるという作用を有する。さらに、断熱材の厚みを垂木の厚みよりも小さく設定することで、並設される垂木の間でかつ断熱材の野地合板又は野地板側に配される面上に隙間が生じ、この隙間が上述の空気の流路になる。そして、屋根パネルがその内部に、上述のような空気の流路を備えていることで、屋根パネルの内部を常時換気することができる。これにより、屋根パネルの断熱効果を向上させるとともに、屋根パネル内に湿気がこもるのを防いで、屋根パネルを構成する木材、すなわち垂木、野地合板又は野地板、並びに内装用板材として使用される化粧板が、腐朽して劣化するのを妨げるという作用を有する。
さらに、第１の考案では、屋根構造が主に小屋組を形成する木材と、屋根パネルと、屋根パネルを小屋組に固定するための例えばビス等の固定具により構成されている。しかも、第１の考案における屋根パネルは、予め工場等において製造したものを使用する。このため、第１の考案によれば、屋根構造の形成作業を容易かつ迅速に行うことを可能にするという作用を有する。
【００１１】
第２の考案である屋根構造は、室内空間に裸出している横架材、すなわち登り梁、軒桁、棟木、必要に応じて設けられる母屋の裸出面は、化粧表し加工面を有していることを特徴とするものである。
上記構成の第２の考案は、上述の第１の考案による作用と同じ効果に加えて、屋根構造を構成する横架材が、室内空間に裸出する面に化粧表し加工面を有していることで、横架材自体が室内空間を装飾する意匠として作用する。
つまり、第２の考案では、屋根構造を構成する横架材及び屋根パネルがともに、屋根を形成する構造材として機能するとともに、室内空間の装飾材としても機能する。
【００１２】
第３の考案である屋根構造は、上述の第１又は第２の考案であって、屋根パネルは、登り梁の天面に面する側でかつ室内空間を構成しない領域に、内装用板材に代えて内装用でない合板又は板体を備えていることを特徴とするものである。
上記構成の第３の考案は、上述の第１又は第２の考案による作用と同じ作用に加えて、屋根パネルを登り梁及び横架材上に設置した際に、屋根裏において室内空間を構成しない領域の内装用板材を、内装用でない合板又は板体に置換することで、屋根パネルの製造に要するコストを削減することができる。
一般に、内装用板材である化粧材又は内装用石膏ボードは、内装用でない合板又は板体に比べて高価である。このため、屋根パネルを製造する際に、屋根裏において室内空間を構成する領域にのみ内装用板材を設けることで、屋根パネルの製造コストを削減することができる。
【００１３】
第４の考案である屋根構造は、上述の第１乃至第３のいずれかの考案であって、屋根パネルは、内装用板材を備える領域に、屋根パネルの厚み方向に光を透過させるための採光構造を備えていることを特徴とするものである。
上記構成の第４の考案は、上述の第１乃至第３のそれぞれの考案による作用と同じ作用を有する。また、第４の考案において「採光構造」は、例えば開閉可能な又は開閉不能な窓等である。
上述のような第４の考案によれば、屋根パネルにおいて内装用板材を備える領域の下面側を室内空間として使用する場合に、屋根パネルの設置作業と、この室内空間に採光構造を取付け作業を同時に完了することができる。
【００１４】
第５の考案である屋根裏部屋は、上述の第１乃至第４のいずれかの考案である屋根構造と、登り梁の直下に配されている梁上に設けられる床と、を備えていることを特徴とするものである。
上記構成の第５の考案における屋根構造は、上述の第１乃至第４のそれぞれの屋根構造による作用と同じ作用を有する。また、第５の考案において、登り梁の直下に配されている梁上に設けられる床は、屋根裏の空間を人の居住スペース又は収納スペースとして使用可能にするという作用を有する。
【考案の効果】
【００１５】
上述のような第１の考案によれば、登り梁の上面側に覆設される屋根パネルにおいて、室内空間に配される側の面は、そのまま内装材として使用することができる。このため、第１の考案によれば、小屋組に屋根パネルを取付けるだけで、小屋組の内側の空間を室内空間の一部として、より具体的には吹き抜け天井や屋根裏部屋として利用することができる。
また、小屋組において屋根パネルの内側の空間を室内空間として利用する場合、この室内空間は日射や外気温の影響を特に受けやすい。つまり、屋根裏を室内空間として利用する場合、冬季は寒く夏季は暑くなりやすい。
これに対し、第１の考案における屋根パネルは、その厚み方向断面に断熱材を備えていることで、熱や冷気が屋根上側から室内空間側に伝わるのを、あるいは屋根裏の室内空間側の熱や冷気が屋根上側に逃げるのを防ぐことができる。つまり、第１の考案における屋根パネルの厚み方向の断熱性を向上させることができる。
さらに、第１の考案に係る屋根パネルは、その内部に断熱材に加えて通気路を備えている。このため、第１の考案では小屋組に屋根パネルを取付けた際に、屋根パネルの内部に垂木の長さ方向に沿って複数本の通気路が並設され、この通気路内を空気が建物の軒側から棟側に向かって流動する。したがって、第１の考案における屋根パネルでは、この空気の流れによっても屋根パネルの厚み方向の断熱性を一層向上させることができる。
よって、第１の考案によれば、屋根パネルの内側の室内空間の断熱性を向上させることができ、屋根パネルの内側の室温を快適に維持することができる。
しかも、第１の考案における屋根パネルは施工現場以外の工場等で製造されたものを、ビス等の固定具のみを用いて容易に小屋組に取付けることができるので、第１の考案である屋根構造の施工性を大幅に向上させることができる。
【００１６】
第２の考案は、上述の第１の考案による効果と同じ効果を有する。さらに、第２の考案によれば、屋根裏の室内空間に裸出する横架材をそのまま装飾として利用することができる。この場合、木材である横架材がむき出しの状態になり、自然な風合いで、しかも木の温もりを感じられるような室内空間を形成することができる。
よって、第２の考案によれば機能性及び意匠性の高い建物を提供することができる。
【００１７】
第３の考案によれば、上述の第１又は第２の考案と同じ効果に加えて、小屋組の内側において室内空間を構成しない領域の屋根裏に、内装用板材に代えて内装用でない合板又は板体を設けることで、屋根パネルの製造に要するコストを削減することができる。
その一方で、第３の考案によれば、室内空間を構成しない領域に設けられる屋根パネルもその内部に断熱材及び通気路を備えている。つまり、室内空間側に内装用板材を備える屋根パネルも、室内空間を構成しない屋根パネルもその内部構造は同じである。よって、第３の考案によれば、小屋組の一部のみを室内空間として利用する場合でも、その建物の屋根構造全体の断熱性及び施工性を高めることができる。
つまり、第３の発明によれば、屋根裏の一部を室内空間として利用でき、その場合でも屋根構造全体の断熱性が良好で、かつ屋根パネルの取付けが容易であり、しかも屋根パネルの製造コストが廉価な屋根構造を提供することができる。
【００１８】
第４の考案は、上述の第１乃至第３の考案のそれぞれと同じ効果に加えて、屋根パネルが採光構造を備えていることで、小屋組への屋根パネルの設置と同時に、屋根裏に形成される室内空間への、窓等の採光構造の設置作業を完了することができる。
よって、第４の考案によれば屋根裏を室内空間として利用する際に、この室内空間に採光構造を設ける作業を省略することができる。
したがって、第４の考案によれば、採光構造を備えた屋根裏の室内空間を形成する作業を簡素化することができる。
【００１９】
第５の考案において屋根構造は、上述の第１乃至第４のそれぞれの考案による効果と同じ効果を有する。
また、第５の考案において登り梁の直下に配されている梁上に床を設けることで、小屋組の内側を人の居住スペース又は収納スペースとして利用することが可能になる。
よって、第５の考案によれば、屋根構造の形成を容易かつ迅速に行うことができ、しかも屋根裏に形成される室内空間を人の居住スペースや収納スペースとして利用することができる、機能性の高い建物を提供することができる。
【図面の簡単な説明】
【００２０】
【図１】本考案の実施形態に係る屋根構造の外観を示す斜視図である。
【図２】本考案の実施形態に係る屋根パネルの斜視図である。
【図３】本考案の実施形態に係る屋根パネルの断面図である。
【図４】本考案の実施形態に係る屋根パネルを小屋組に固定するのに用いられる固定具の一例であるビスの側面図である。
【図５】本考案の実施形態に係る屋根構造の施工手順を示すフローである。
【図６】本考案の実施形態に係る屋根構造の鉛直方向断面図である。
【図７】本考案の実施形態に係る屋根構造の要部を拡大して示す鉛直方向断面図である。
【図８】本考案の実施形態に係る屋根パネルにおいて軒桁上に配される屋根パネルを内装用板材側から見た斜視図である。
【考案を実施するための形態】
【００２１】
本考案の実施形態に係る屋根構造及びそれを備えてなる屋根裏部屋について図１乃至図８を参照しながら詳細に説明する。
【００２２】
＜１；本考案の基本構成について＞
はじめに、図１乃至図３を参照しながら本実施形態に係る屋根構造について説明する。
図１は本考案の実施形態に係る屋根構造の外観を示す斜視図である。また、図２は本考案の実施形態に係る屋根パネルの斜視図である。さらに、図３は本考案の実施形態に係る屋根パネルの断面図である。つまり、図３は図２中のＡ−Ａ線断面図である。加えて、図４は本考案の実施形態に係る屋根パネルを小屋組に固定するのに用いられる固定具の一例であるビスの側面図である。
本実施形態に係る屋根構造１は主に、例えば図１に示すように、木造軸組工法の小屋組２を備える建物１９において、軒桁３と棟木７の間に架設される少なくとも２本の登り梁６と、この登り梁６の間に必要に応じて架設される少なくとも１本の母屋８と、登り梁６及び、軒桁３又は棟木７又は必要に応じて設けられる母屋８のいずれかに、例えば図４に示すような固定具であるビス１２を用いて取付けられる屋根パネル１１により構成されている。
【００２３】
また、本実施形態に係る屋根構造１を構成する屋根パネル１１は、例えば図２及び図３に示すように、室内空間１８側（後段に示す図６を参照）に配される面に内装用面１３ａを備えた内装用板材１３と、この内装用板材１３上に所望間隔毎にかつ互いに平行に設けられる垂木１４と、この垂木１４同士の空隙でかつ内装用板材１３上に設けられ、かつ垂木１４の厚みＰ（図３を参照）よりもその厚みＱ（図３を参照）が薄い断熱材１５と、垂木１４を挟んで内装用板材１３と対向して設けられる野地合板１６により構成されている。なお、野地合板１６に代えて野地板を用いることもできる。
【００２４】
さらに、本実施形態に係る屋根構造１における小屋組２において、軒桁３から棟木７までの距離が比較的大きい場合は、例えば図１の紙面左側に示すように、軒桁３と棟木７の間に架設される登り梁６同士の間に母屋８を設けてもよい。なお、母屋８は、小屋組２を構成する横架材の一部をなし、通常、軒桁３又は棟木７と平行に配される。
このように、本実施形態に係る小屋組２が母屋８を有する場合、本実施形態に係る屋根パネル１１は、図１の紙面左側に示すように、建物１９の妻側に配される側縁又はこの側縁寄りの部分が登り梁６の上面（傾斜面）上に例えばビス１２等の固定具を用いて固定される。また、屋根パネル１１において軒桁３又は棟木７側に配される側縁又はこの側縁寄りの部分は、軒桁３又は棟木７又は母屋８上に例えばビス１２等の固定具を用いて固定される。
また、特に図示しないが、軒桁３と棟木７の間に２本以上の母屋８を備える場合も想定される。この場合は、２本の登り梁６と２本の母屋８に、例えばビス１２等の固定具を用いて本実施形態に係る屋根パネル１１を固定することができる。
他方、本実施形態に係る屋根構造１における小屋組２において、軒桁３から棟木７までの距離がさほど離れていない場合は、例えば図１の紙面右側に示すように、軒桁３と棟木７の間に架設される登り梁６同士の間に母屋を設けない場合がある。この場合、本実施形態に係る屋根パネル１１は、図１の紙面右側に示すように、２本の登り梁６と軒桁３及び棟木７に、例えばビス１２等の固定具を用いて固定される。
【００２５】
＜２；本考案の施工手順について＞
＜２−１；本実施形態に係る屋根構造１の施工手順について＞
本実施形態に係る屋根構造１の施工手順について図５を参照しながら説明する。
図５は本考案の実施形態に係る屋根構造の施工手順を示すフローである。なお、図１乃至図４に記載されたものと同一部分については同一符号を付し、その構成についての説明は省略する。
本実施形態に係る屋根構造１を形成する場合、図５に示すように、小屋組２の下の躯体と小屋組２の施工は施工現場において行う。他方、本実施形態に係る屋根パネル１１は、施工現場以外の工場等の施設で製造される。
より詳細には、図５に示すように、建物１９の施工現場ではまず、小屋組２の下部構造である躯体が形成される（ステップＳ０１；躯体形成工程）。なお、先の図１では小屋組２の下部構造である躯体（図１中では例えば柱１０等）が木造軸組工法からなる場合を例に挙げて説明しているが、この躯体は鉄筋コンクリート造でもよい。なお、後者の場合は、一般に「混構造」といわれる。
【００２６】
そして、小屋組２の下部構造である躯体が形成された後は、その上に木造軸組工法からなる小屋組２を形成する工程である（ステップＳ０２；小屋組形成工程）。
このステップＳ０２では、先の図１に示すように、下部構造である躯体を構成する柱１０群の上端に軒桁３、桁４及び梁５が架設され、さらに桁４及び梁５上に立設される束９（小屋束）上に架設される棟木７と、軒桁３との間に少なくとも２本の登り梁６が互に平行に設けられる。なお、ステップＳ０２では、屋根構造１をなすそれぞれの傾斜面に少なくとも２本の登り梁６を設けるとよい。
つまり、先の図１に示す本実施形態に係る屋根構造１では、紙面右側と左側のそれぞれに１つずつ傾斜面を備えているので、この傾斜面毎に少なくとも２本の登り梁６を設ければよい。
なお、本実施形態に係る屋根構造１では、屋根パネル１１を支持する構造材として主に登り梁６を用いる場合を例に挙げて説明しているが、本実施形態に係る屋根構造１において屋根裏を室内空間として使用しない部分にまで登り梁６を配する必要はなく、屋根パネル１１の一部を従来公知の母屋と小屋束によりを支持してもよい。
より具体的には、例えば図１において紙面左側の斜面側の屋根裏にのみ室内空間を形成する場合、図１の紙面右側に登り梁６を設ける代わりに束と母屋を設けてもよい（図示せず）。
本実施形態に係る屋根構造１では、上述のように小屋組２に登り梁６を用いることで、その下部空間を室内空間として有効に活用することができる。
また、本実施形態に係る屋根構造１では、棟木７から軒桁３までの距離が離れている場合は、先にも述べたように登り梁６同士の間に、必要に応じて母屋８を架設しておき、登り梁６、軒桁３及び棟木７、並びに必要に応じて設けられる母屋８で屋根パネル１１を支持してもよい（任意選択構成要素）。
【００２７】
なお、木造軸組工法の一般的な小屋組では、屋根材（垂木、野地板又は野地合板、ルーフィング、屋根瓦又はスレート等）は主に母屋によって支持される。また、この母屋は桁上又は梁上に立設される束（小屋束）によって支持される。したがって、木造軸組工法における一般的な小屋組では、屋根裏に小屋束（例えば図１中の束９を参照）が林立した状態になるため、屋根裏を室内空間として有効活用することが困難であった。
これに対して本実施形態に係る屋根構造１では、屋根パネル１１を含む屋根材を、軒桁３、棟木７及び登り梁６、並びに、必要に応じて設けられる母屋８によって支持するよう構成されている（先の図１を参照）。このため、本実施形態に係る屋根構造１では、屋根パネル１１を支持するために桁上又は梁上に小屋束を林立させる必要がないので、屋根裏を室内空間として有効活用することができる。
【００２８】
そして、上記ステップＳ０２に続く工程が、登り梁６を備えた小屋組２に屋根パネル１１を設置する工程である（ステップＳ０３；屋根パネル設置工程）。
このステップＳ０３の屋根パネル設置工程では、工場等で予め製造された屋根パネル１１を、例えば先の図４に示すビス１２等の固定具により小屋組２に固定する。
なお、小屋組２を構成する登り梁６上に屋根パネル１１を設置する場合、屋根パネル１１内に収容される垂木１４及び断熱材１５が、軒桁３から棟木７に向かって連なるようにそれぞれの屋根パネル１１を配置する必要がある。
この場合、後段において詳細に説明するが、屋根パネル１１の厚み方向断面において断熱材１５と野地合板１６の間に形成される隙間である通気路１７が（先の図２及び図３を参照）、軒桁３から棟木７に向かって連通した状態になる。
そして、複数の屋根パネル１１からなる屋根パネル１１群において、軒桁３から棟木７に向かって複数の通気路１７が並設された状態になる。
この結果、本実施形態に係る屋根構造１では、屋根パネル１１群の内部を空気が軒桁３側から棟木７側に向かって常時流動する。
【００２９】
また、本実施形態に係る屋根構造１の小屋組２では、先の図１に示すように、軒桁３及び棟木７、並びに必要に応じて設けられる母屋８のそれぞれの天面に、登り梁６の上面（傾斜面）と略同一平面をなす傾斜面を備えていてもよい（任意選択構成要素）。
この場合、本実施形態に係る屋根構造１を形成する際に、登り梁６のみならず軒桁３や棟木７、あるいは必要に応じて設けられる母屋８に屋根パネル１１を面接触させた状態で取付けることができる。
この場合、登り梁６、軒桁３及び棟木７、あるいは必要に応じて設けられる母屋８と、屋根パネル１１が面接触する部分を、先の図４に示す例えばビス１２等の固定具を用いて固定することで、小屋組２と屋根パネル１１の接合強度を高めることができる。
また、この場合は、本実施形態に係る屋根構造１における屋根パネル１１を屋根裏側から見た場合に、小屋組２を構成する構造材と屋根パネル１１の接合部分に固定具であるビス１２の一部が裸出しない。このため、屋根裏の室内空間に裸出する屋根パネル１１及び小屋組２を構成する構造材の外観上の審美性を高めることができる。
【００３０】
さらに、小屋組２を構成する横架材に屋根パネル１１を固定具である例えばビス１２等を用いて取付ける場合、内装用板材１３、垂木１４及び野地合板１６が重なる部分に固定具である例えばビス１２等を打込むとよい。
また、屋根パネル１１の野地合板１６の上面、すなわち裸出面に、固定具である例えばビス１２等を打込むべき位置であること示すために、垂木１４の中心線と符合する位置等に、図示しない目印線を設けておいてもよい（任意選択構成要素）。
この場合、屋根パネル１１の厚み方向断面において垂木１４が配置されない箇所に固定具である例えばビス１２等を打込んでしまうのを好適に防ぐことができる。また、この場合は、小屋組２への屋根パネル１１の設置作業を効率的に進めることができるというメリットも有する。
【００３１】
さらに、上記ステップＳ０３に続く工程が、小屋組２に覆設された屋根パネル１１上に防水材であるルーフィングを敷設する工程である（ステップＳ０４；ルーフィング設置工程）。
また、上記ステップＳ０４に続く工程が、上記ルーフィング上に屋根瓦やスレート等の屋根材を敷設する工程である（ステップＳ０５；屋根材設置工程）。
なお、ステップＳ０４のルーフィング設置工程、並びにステップＳ０５の屋根材設置工程は、従来公知の工法と同じであるためここでの詳細な説明については省略する。
さらに、図５に示すステップＳ０１乃至ステップＳ０５を完了した後は、従来公知の工法と同様に、本実施形態に係る屋根構造１を備える躯体に対し内装及び外装工事を実施することで建物１９が完成する。
【００３２】
＜２−２；本実施形態に係る屋根パネルの作製手順について＞
ここで、図５及び先の図２及び図３を参照しながら本実施形態に係る屋根パネル１１の作製手順について説明する。
本実施形態に係る屋根パネル１１は、図５に示すように建物１９の施工現場でない例えば工場等で製造される（ステップＳ１１；屋根パネル製造工程）。
この屋根パネル製造工程（ステップＳ１１）ではまず、本実施形態に係る屋根構造１において屋根裏の室内空間側に配される内装用板材１３の裏面に、すなわち内装用板材１３の内装用面１３ａの反対側の面に、垂木１４が所望間隔毎に並設される。
この場合、内装用板材１３の両側縁に垂木１４を配置することで、屋根パネル１１の両側縁の強度を高めることができる。
また、内装用板材１３と垂木１４の接合は、従来公知の接着剤により行ってもよいし、頭部が目立たないつぶし釘等の固定具を用いてもよい。あるいは、これらを併用してもよい。さらに、上述以外の従来公知の接合手段を支障なく採用することができる。
【００３３】
次に、内装用板材１３の裏面に並設された垂木１４同士の間に、従来公知の合成樹脂（例えばフェノールフォーム等）又はグラスウール等からなる板状又はマット状の断熱材１５を介設する。なお、内装用板材１３の裏面への断熱材１５の固定は、接着剤等を使用するとよい。
このとき、内装用板材１３の厚み方向における垂木１４の厚みＰ（図３を参照）を、内装用板材１３の厚み方向における断熱材１５の厚みＱよりも大きく設定しておく必要がある。
【００３４】
そして、垂木１４同士の間に断熱材１５を介設した後、垂木１４において内装用板材１３を備える面の反対側の面に野地合板１６を接合して一体化すればよい。
なお、垂木１４と野地合板１６の接合は、従来公知の接着剤を用いてもよいし、釘等の固定具を用いてもよい。あるいは、これらを併用してもよい。さらに、上述以外の従来公知の接合手段を支障なく採用することができる。
よって、上述のような一連の手順により本実施形態に係る屋根パネル１１を作製することができる。
さらに、本実施形態に係る屋根パネル１１では、その厚み方向断面において野地合板１６と断熱材１５の間に隙間が形成され、この隙間が屋根パネル１１の内部における空気の通気路１７となる。
【００３５】
また、特に図示しないが、本実施形態に係る屋根パネル１１は、断熱材１５上に、すなわち断熱材１５において野地合板１６と対向する側の面に金属シート（例えばアルミシート等）を備えていてもよい（任意選択構成要素）。
この場合、本実施形態に係る屋根パネル１１の断熱性を一層向上させることができる。
さらに、本実施形態に係る屋根パネル１１における内装用板材１３としては、例えば従来公知の化粧板や内装用の石膏ボードを用いることができる。
なお、本実施形態に係る屋根パネル１１を構成する各構成部材の寸法は、例えば下記のように設定することができる。
・垂木；38mm×89 mm（＝Ｐ）×（長さは任意）
・垂木同士の間隔は例えば333.3 mm
・断熱材；厚み＝63 mm（＝Ｑ、長さ及び幅は任意）
・内装用板材；
・化粧板；厚み＝9 mm（長さ及び幅は任意）
・内装用石膏ボード；厚み＝9.6 mm（長さ及び幅は任意）
・野地合板又は野地板；厚み＝12 mm
また、屋根パネル１１を構成する各構成部材の寸法を例えば上記のように設定する場合、野地合板１６の厚み方向における通気路１７の高さは２６mmになる。
【００３６】
＜３；本考案による作用・効果について＞
続いて、先の図１、並びに図６及び図７を参照しながら本実施形態に係る屋根構造１による作用・効果について説明する。
図６は本考案の実施形態に係る屋根構造の鉛直方向断面図である。より詳細には、図６は先の図１中のＢ−Ｂ線断面図である。また、図７は本考案の実施形態に係る屋根構造の要部を拡大して示す鉛直方向断面図である。なお、図１乃至図５に記載されたものと同一部分については同一符号を付し、その構成についての説明は省略する。
本実施形態に係る屋根パネル１１を小屋組２に設置した場合、図６及び図７に示すように、屋根裏に室内空間１８を形成することができる。
また、この室内空間１８では、屋根パネル１１を構成する内装用板材１３の内装用面１３ａ、及び登り梁６の下面及び側面（又は両側面）が裸出した状態になる。あるいは、登り梁６に必要に応じて母屋８が架設される場合は、母屋８の下面及び両側面も室内空間１８に裸出した状態になる。
よって、本実施形態に係る屋根構造１によれば、小屋組２の内側に形成される室内空間１８を、登り梁６や、必要に応じて設けられる母屋８の風合いを生かした木の温かみを感じる空間にすることができる。
また、このような室内空間１８は吹き抜け天井として使用することができる。この場合、建物１９内において鉛直方向に広がりを有する室内空間を実現できる。
さらに、例えば図６及び図７に示す小屋組２において、梁５上に床面（図示せず）を形成する場合は、屋根裏に形成される室内空間１８を屋根裏部屋やロフトとして利用することができる。この場合、従来デッドスペースであった屋根裏を、人の居住スペースとして、あるいは収納スペースとして有効活用することができる。
【００３７】
また、本実施形態に係る屋根構造１によれば先の図２及び図３に示すように、屋根パネル１１がその内部に断熱材１５を備えていることで、屋根パネル１１自体の断熱性を高めることができる（断熱効果１）。
さらに、屋根パネル１１はその内部に通気路１７を備えていることで、図７に示すように、本実施形態に係る屋根構造１において軒桁３側から棟木７側に向かう（図７中の符号Ｃで示す方向を参照）空気の流れを生じさせることができ、この空気の流れによっても屋根パネル１１の断熱効果を高めることができる（断熱効果２）。
よって、本実施形態に係る屋根構造１によれば、上述の断熱効果１及びの断熱効果２が同時に発揮されることで、屋根裏に形成される室内空間１８の室温を四季を通じて快適な状態に保つことができる。
また、本実施形態に係る屋根構造１によれば、屋根パネル１１の内部に通気路１７が形成されることで、屋根パネル１１の内部が常時換気されることになる。
この場合、屋根パネル１１を構成する木材を常時乾燥させることができるので、屋根パネル１１を構成する木質系材料が腐朽するなどして屋根構造１が損傷する等の不具合が生じるのを好適に抑制することができる。
つまり、本実施形態に係る屋根構造１によれば、屋根パネル１１が通気路１７を備えることで屋根構造１自体の耐久性も向上させることができる。
【００３８】
さらに、本実施形態に係る屋根構造１によれば、木造又は鉄筋コンクリート造の躯体に、木造軸組工法からなる小屋組２を形成した後（図５中のステップＳ０１及びステップＳ０２を参照）、この小屋組２に工場等において製造された屋根パネル１１を、取付けるだけで屋根構造１の形成を完了することができる。
この場合、従来公知の木造軸組工法のように小屋組２に垂木を設け、この垂木上に野地合板又は野地板を敷設し、さらに必要に応じてこの野地合板又は野地板上に通気構造を設ける等の一連の作業を小屋組２において人手により行う必要がない。
よって、本実施形態に係る屋根構造１を採用する場合は、屋根パネル１１を用いない従来工法に比べて、小屋組２上に作業者が滞在する時間を短くすることができる。
この場合、建物１９を施工する際の作業性を向上できるとともに、作業時の作業者の安全性も向上させることができる。
【００３９】
＜４；本考案の細部構造について＞
＜４−１；屋根裏の室内空間に裸出する横架材について＞
本実施形態に係る屋根構造１において、屋根裏に形成される室内空間１８に裸出する横架材の裸出面は、すなわち軒桁３、棟木７及び登り梁６、並びに必要に応じて設けられる母屋８の裸出面は、化粧表し加工面を有していてもよい（図示せず；任意選択構成要素）。
この場合、室内空間１８に裸出する横架材の裸出面が、カンナがけされた状態になるため、室内空間１８の審美性を一層向上させることができる。
よって、室内空間１８に裸出する横架材の裸出面が化粧表し加工面を有する場合は、より高品質で付加価値の高い室内空間１８を提供することができる。
【００４０】
＜４−２；採光構造を備えた屋根パネルについて＞
本実施形態に係る屋根パネル１１は、必要に応じてその厚み方向に光を透過させるための採光構造、より具体的には例えば開閉可能な又は開閉不能な窓等を備えていてもよい（任意選択構成要素）。
この場合、本実施形態に係る小屋組２に採光構造を備えた屋根パネル１１を設置するだけで、室内空間１８に採光構造を設ける作業についても完了することができる。
この場合、採光構造を備えた室内空間１８を形成するにあたり壁面に別途窓等を設ける作業を行う必要がない。また、屋根パネル１１に上述のような採光構造を設ける作業は、屋根パネル１１の製造時に工場等において行うことができる。
したがって、屋根パネル１１が採光構造を備える場合は、室内空間１８を有する建物１９の施工性を向上させることができるとともに、より付加価値が高く快適な室内空間１８を提供することができる。
【００４１】
＜４−３；室内空間を構成しない屋根パネルについて＞
本実施形態に係る屋根構造１における屋根裏の一部のみを室内空間１８として利用する場合、室内空間１８として使用しない領域に設置される屋根パネル１１にまで内装用板材１３を設けることは不経済である。
よって、本実施形態に係る屋根構造１では、屋根裏を室内空間１８として使用する領域の屋根パネル１１にのみ内装用板材１３を備えていてもよい（任意選択構成要素）。
より具体的には、本実施形態に係る屋根パネル１１は、登り梁６の天面に面する側でかつ室内空間１８を構成しない領域の内装用板材１３を、内装用でない合板又は板材に置き換えたものを用いてもよい（任意選択構成要素）。この場合は、内装用板材１３と置換される内装用でない合板又は板材の厚みを、内装用板材１３の厚みと略同じにしておくことが望ましい。
【００４２】
また、本実施形態に係る屋根パネル１１は、工場等の施工現場以外の場所で製造されるため、内装用板材１３を内装用でない合板又は板材に置換したものについても容易に作製できる。
この場合、小屋組２に設置される屋根パネル１１において、室内空間１８として利用される領域にのみ内装用板材１３を備えることで、本実施形態に係る屋根パネル１１の製造コストを削減することができる。
さらに、この場合、内装用板材１３に代えて内装用でない合板又は板材を備えた屋根パネル１１は、内装用板材１３を備えた屋根パネル１１と同様に取り扱うことができる。つまり、小屋組２への両屋根パネルの取付け方法が同じである。
このため、本実施形態に係る屋根構造１における屋根裏の一部のみを室内空間１８として利用する場合でも、屋根構造１全体において軒桁３側から棟木７側に向かう通気路１７を形成することができる。
よって、本実施形態に係る屋根構造１では室内空間１８を構成する屋根パネル１１と、室内空間１８を構成しない屋根パネル１１の屋根裏側の仕様を変更することで、本実施形態に係る屋根構造１の施工性及び機能性を維持しながら、屋根パネル１１の製造コストを削減することができる。
【００４３】
＜４−４；軒桁上に配される屋根パネルについて＞
最後に、図８を参照しながら軒桁３上に配される屋根パネルについて図５、図６並びに図８を参照しながら説明する。
図８は本考案の実施形態に係る屋根パネルにおいて軒桁上に配される屋根パネルを内装用板材側から見た斜視図である。なお、図１乃至図７に記載されたものと同一部分については同一符号を付し、その構成についての説明は省略する。
本実施形態に係る屋根構造１において軒桁３上に配される屋根パネル１１’は、  例えば図５、図６並びに図８に示すように、軒桁３から建物１９の外側に向かって突出する垂木１４の下面側に、内装用板材１３又はこの内装用板材１３に代えて設けられる内装用でない合板又は板材を備えていないものを使用してもよい（任意選択構成要素）。
この場合、軒下の空気を屋根パネル１１’の通気路１７にスムーズに案内することができる。この結果、屋根パネル１１’及び屋根パネル１１からなる屋根パネル群の内部に形成される通気路１７内の空気が効率良く換気されるため、室内空間１８や、建物１９全体の断熱性を高めることができる。
また、屋根パネル１１’及び屋根パネル１１の内部に湿気がこもって、屋根パネル１１’及び屋根パネル１１を構成する木質材料が腐朽するなどして損傷するのを好適に抑制でき、これにより屋根構造１及び建物１９の耐久性を向上させることができる。
【００４４】
さらに、屋根パネル１１’では、例えば図５、図６並びに図８に示すように、軒桁３から突出する垂木１４の端面を被覆する横芯材２０を備えていてもよい（任意選択構成要素）。
この場合、屋根パネル１１’の端部、すなわち垂木１４の端面が配される側の屋根パネル１１’端面の強度を高めることができる。
加えて、屋根パネル１１’では、例えば図５、図６並びに図８に示すように、必要に応じて、断熱材１５の端面に仕切り材２１を備えていてもよい（任意選択構成要素）。
この場合、断熱材１５の端面を保護して、断熱材１５の劣化の進行を遅らせることができる。
【産業上の利用可能性】
【００４５】
以上説明したように本考案は、屋根裏を室内空間として利用でき、この室内空間の断熱性が優れ、しかも施工が容易な屋根構造及びそれを用いてなる屋根裏部屋であり、建築に関する技術分野において利用可能である。
【符号の説明】
【００４６】
１…屋根構造  ２…小屋組  ３…軒桁  ４…桁  ５…梁  ６…登り梁  ７…棟木  ８…母屋  ９…束  １０…柱  １１，１１’…屋根パネル  １２…固定具（ビス）  １３…内装用板材  １３ａ…内装用面  １４…垂木  １５…断熱材  １６…野地合板  １７…通気路  １８…室内空間  １９…建物  ２０…横芯材  ２１…仕切り材
【図１】
0003233066.tif 000003
【図２】
0003233066.tif 000004
【図３】
0003233066.tif 000005
【図４】
0003233066.tif 000006
【図５】
0003233066.tif 000007
【図６】
0003233066.tif 000008
【図７】
0003233066.tif 000009
【図８】
0003233066.tif 000010